(57)【特許請求の範囲】
【請求項１】
板金素材に曲げ加工を施して作られた構造材であって、対向する位置にフック孔をそれぞれ有する対をなす面板と、これら両面板の一側縁間に位置する端板とを備え、前記端板における少なくとも一方の面板寄りに偏移した部位に、前記両面板のフック孔同士の対面を遮断する突条を板金素材の曲げ加工により一体に形成しているとともに、前記端板の前記突条と該突条から遠い側の面板寄りの端縁との間の領域に、同一構造を有する他の構造材と連結するための開口要素を設けていることを特徴とする構造材。
【請求項２】
突条を、基端を端板に連続させて相互に密着する２枚の突出片部と、これら両突出片部の先端間を一体に連続させる屈曲部とからなるものにした請求項１記載の構造材。
【請求項３】
前記両面板の外面に前記フック孔をさけるようにしてパネル要素が装着されるパネルの構造材であって、前記端板の中央領域にパネル同士を連結するための開口要素を備えている１又は２記載の構造材。
【発明の詳細な説明】
【０００１】
【発明の属する技術分野】
本発明は、例えばオフィスで使用する可動間仕切壁のパネル等に好適に用いられる板金素材に曲げ加工を施して作られた構造材に関するものである。
【０００２】
【従来の技術】
従来、例えば、オフィスで使用する可動間仕切壁のパネルの縦枠材は、板金素材に曲げ加工を施して、対をなす面板と、これら両面板の両側縁間に位置する端板を備えた角パイプ形状のものが一般的であり、この構造材を構成する縦枠材の対をなす面板の対向する位置にオプション部材を取り付けるためのフック孔を設けたものが多く見られる。
【０００３】
そして、これらのフック孔を介して光が漏れるのを防止するために、縦枠材の中に綿やスポンジなどを詰めたり、別体に設けた遮光用の部材を後から取り付けるなどして、両面板のフック孔同士の対面を遮断していた。
【０００４】
【発明が解決しようとする課題】
ところが、このようなものであると、一旦、製造した縦枠材に綿やスポンジを挿入したり、別体に設けた遮光用の部材を挿入して固定しなければならず、製造工程が多くなる上、長尺な構造材の内部に対する挿入作業や固定作業は、著しく煩雑なものとなってしまう。また、コストもかかることになる。
【０００５】
そこで、このような不具合を解消するために、フック孔を介した光の漏れを防止することが可能なものであって加工、製造の簡単な構造材を提供する。
【０００６】
【課題を解決するための手段】
すなわち、本発明の構造材は、板金素材に曲げ加工を施して作られた構造材であって、対向する位置にフック孔をそれぞれ有する対をなす面板と、これら両面板の一側縁間に位置する端板とを、端板における中央位置から少なくとも一方の面板よりに偏移した部位に、両面板のフック孔同士の対面を遮断する突条を板金素材の曲げ加工により一体に形成しているとともに、前記端板の前記突条と該突条から遠い側の面板寄りの端縁との間の領域に、同一構造を有する他の構造材と連結するための開口要素を設けていることを特徴とする。
【０００７】
このようなものであれば、縦枠材の曲げ加工の際に同時に形成した突条によってフック孔間の光の通過を禁止して光の漏れを防止できるようになる。すなわち、一旦製造した縦枠材に対して遮光のための付加加工をする必要がなく、製造を簡単にすることができるようになる。また、突条を端板の中央位置近傍に設けたものと比較して、端板の連続した面一な領域を広く確保でき、この領域に例えば他の構造体と結合するための部材を挿入するための開口部を設けるなど有効に利用することができるようになる。さらに、構造材に囲まれた空間を有効に利用することができるようになる。
【０００８】
なお、このような構造材としては、両面板の一側縁間に位置する端板を備えたものであれば、チャネル状の部材であっても角パイプ状の枠材であってもよい。
【０００９】
また、上述のような突条に強度を持たせるためには、該突条を、基端を端板に連続させて相互に密着する２枚の突出片部と、これら両突出片部の先端間を一体に連続させる屈曲部とからなるもの構成することが望ましい。
【００１０】
そして、本発明の効果を特に有効に発揮させるようなものとしては、構造材が、両面板の外面に前記フック孔をさけるようにしてパネル要素が装着されるパネルの構造材であって、前記端板の中央領域にパネル同士を連結するための孔を備えているものが挙げられる。すなわち、このような構造材の、中央領域に設けた孔を干渉しない位置に突条を設けることによって、パネル同士を連結する機能を損なうことなく、フック孔を介した光を遮断することができるようになる。
【００１１】
【発明の実施の形態】
以下、本発明の実施形態を図面を参照して説明する。
【００１２】
図１は、オフィス等において使用される可動間仕切壁Ｗの一部を示している。この可動間仕切壁Ｗは、第１のパネル１Ａと、この第１のパネル１Ａよりも背の低い第２のパネル１Ｂとを備えたもので、これら両パネル１Ａ、１Ｂ同士を部材結合装置Ｃを用いて結合させている。
【００１３】
第１のパネル１Ａは、構造枠２の前後両面にパネル要素Ｐを装着してなるもので、この構造枠２は、左右対をなす構造材たる縦枠材３Ａを複数本の横枠材４により結合してなる。第２のパネル１Ｂは、前記構造枠２よりも背の低い構造枠２の前後両面にパネル要素２を装着してなるもので、左右対をなす縦枠材３Ｂを複数本の横枠材４により結合してなる。
【００１４】
各構造枠２の縦枠材３Ａ、３Ｂは、図２から図４に示すように、それぞれ剛性を有する板金素材に曲げ加工を施すことにより作られたもので、対をなす前後の面板３０、３１と、これら両面板３０、３１の外方側縁間に位置する外側端板３２と、前記両面板の内側縁間に位置する内側端板３３とを一体的に備えた略角パイプ状をなしている。この縦枠材３Ａ、３Ｂを構成する板金素材の切断端縁は、前記内側端板３３の中央部において溶接等により接合されている。
【００１５】
さらに、本実施の形態では、両面板３０、３１の対向する位置にフック孔５をそれぞれ設けるとともに、外側端板３２における一方の面板３０または３１（図４では面板３１）寄りに偏移した部位に、両面板３０、３１のフック孔５同士の対面を遮断する突条６を板金素材の曲げ加工により一体に形成している。さらに、外側端板３２の中央領域にパネル１Ａ、１Ｂ同士を連結するための開口要素７を設けている。この開口要素７は、縦枠材３Ａおよび３Ｂの空間Ｓ内上端部分に装着する第２の結合具Ｖに関わる開口要素７ａと、空間Ｓ内中途位置に挿入する裏当構造体たる第１の結合具Ｎに関わる開口要素７ｂとを具備してなる。開口要素７ａは、第２の結合具位置決め孔７０、ボルト連通孔７１、位置決め孔７２とからなる。また、開口要素７ｂは、ボルト連通孔７３と、開口部７４とからなる。この開口要素７ｂは、縦枠材３Ａ、３Ｂの長さに対応させて設たもので、図２および図３においては縦枠材３Ａ、３Ｂとに共通する部分を図示しているため開口要素７ｂを一カ所の図示しているが、縦枠材３Ａには、図１および図１３に示すようにを、上下２カ所設けられている。
【００１６】
フック孔５は、棚などのオプション部材を掛かり止めるために、縦枠材３Ａ、３Ｂの前後の面板３０、３１の側縁近傍に所定のピッチで上下方向に設けたのものである。
【００１７】
突条６は、図４に示すように基端を縦枠材３Ａ、３Ｂの外側端板３２に連続させて相互に密着する２枚の突出片部６０と、これら突出片部６０の先端間を一体に連続させる屈曲部６１とからなる構成した平面視略U字状で縦枠材３Ａ、３Ｂの上下端に渡って設けたものである。そして、図４に示すように基端から屈曲部６１の先端部分までの幅Ｄをフック孔５のパネル要素２の面方向の幅ｄより長く設定して、フック孔５間を直接に通過する光を遮断可能にしている。また、本実施の形態では、前記幅Ｄと幅ｄとの差をできる限り小さくなるように設定して、縦枠材３Ａ、３Ｂの空間Ｓに、部材結合装置Ｃを構成する後述する第１の結合具Ｎおよび第２の結合具Ｖを挿入できるスペースを確保している。
【００１８】
パネル要素Ｐは、板金製の板状部材の内面に芯材を充填してなる長方形状のもので、裏面側に図示しない爪部を備えており、その爪部を利用して前記縦枠材３Ａ、３Ｂや、横枠材４に着脱可能に装着されている。なおパネル要素２の左右方向寸法は、構造枠２の左右幅寸法よりも小さく設定してある。そのため、各パネル要素２は、各構造枠２に設けたフック孔５を避けるように装着される。この図示例では、装着状態においてパネル要素２の裏面が縦枠材３Ａ、３Ｂの面板３０、３１に密接するようにしているが、例えば、パネル要素２の爪部に図示しない適宜なかさ上げ用のスペーサ要素を設けて、装着されたパネル要素Ｐの裏面と縦枠材３Ａ、３Ｂとの間に隙間が形成されるようにしてもよい。
【００１９】
部材結合装置Ｃは、図１および図１１に示すように第１のパネル１Ａの縦枠材３Ａにおける中途位置に装着した裏当構造体たる第１の結合具Ｎと、第２のパネル１Ｂの縦枠材３Ｂの上端部に装着した第２の結合具Ｖと、この第２の結合具Ｖ側から挿入され前記両縦枠材３Ａ、３Ｂの接合面３２０に対して略４５度傾斜した方向に配される傾斜ボルト１０とを備えてなる。
【００２０】
第１の結合具Ｎは、図５および図１１に示すように内部に空間Ｓを有しその空間Ｓを外部に連通させる開口部７４を備えた部材、すなわち、前記縦枠材３Ａに装着されるものである。具体的には、第１の結合具Ｎは、前記開口部７４を通過させ前記空間Ｓ内に挿入されるナット機能付き裏当メンバ８と、このナット機能付き裏当メンバ８を前記空間Ｓ内の内面に沿って、図６および図１１に示す使用位置まで移動させた段階で前記開口部７４の上端部７４ａに当ててこのナット機能付き裏当メンバ８のそれ以上の移動を禁止する移動禁止用段部８ａと、使用位置にあるナット機能付き裏当メンバ８と前記開口部７４の下端部７４ｂとの間に割り込んでこのナット機能付き裏当メンバ８を固定する突っ張りメンバ９とを具備してなる。
【００２１】
ナット機能付き裏当メンバ８は、図５〜図７および図１１、図１２に示すように前記縦枠材３Ａの開口部７４を通してその縦枠材３Ａの空間Ｓ内に挿入可能なケーシング８０を主体に構成されており、不要時にはケーシング８０の内部に退避可能なずれ止め要素Ｙと、このずれ止め要素Ｙを挿入後のケーシング８０の外へ突出させて他方の縦枠材３Ｂを位置決めし両縦枠材３Ａ、３Ｂの相対的なずれを防止するずれ防止手段Ｚとを具備してなる。
【００２２】
具体的に説明すれば、ケーシング８０は、アルミダイキャスト製のもので、図５および図７に示すように前記開口部７４の内方寸法よりも若干小さな外形寸法を有したブロック状をなしており、前記接合面３２０と直交する方向から前記空間Ｓ内に挿入し得るようになっている。ケーシング８０の上半部における挿入方向寸法Ｅは、ケーシング８０の下半部の挿入方向寸法ｅよりも小さく設定してあり、この上半部と下半部との境界に前記移動禁止用段部８ａが形成されている。すなわち、このケーシング８０は、前記開口部７４に挿入した後、前記移動禁止用段部８ａが、該開口部７４の上端部７４ａに当たる位置まで、縦枠材３Ａの内面に沿ってスライド移動させることができるようになっている。そして、このケーシング８０内にスライダ８１を傾斜ボルト１０の軸心方向に進退し得るように収容し、このスライダ８１を所要の範囲内において進退動作可能に案内するための案内穴８２を形成するとともに、ケーシング８０の裏当面に前記案内穴８２を外方へ開放するボルト挿通孔８３と、爪部突出口８４とを開口させており、前記ボルト挿通孔８３を通してケーシング８０内に挿入した傾斜ボルト１０を前記スライダ８１のねじ孔８１ａにねじ込むことができるようにしてある。また、前記スライダ８１の先端部には、前記ずれ止め要素Ｙを構成する爪部８１ｂが一体に設けてある。この爪部８１ｂは、前記移動禁止用段部８ａと平行な当て面８１ｂ１を有しており、剛性を有する金属により作られている。そして、この爪部８１ｂは、前記スライダ８１が傾斜ボルト１０のねじ作用によりケーシング８０の裏当面側に移動した際に、前記爪部突出口８４を通して外方へ突出するようになっており、限界まで移動した位置で前記当て面８１ｂ１が第２のパネル１Ｂの縦枠材３Ｂに設けた位置決め孔７２の上端部７２ａに当たるようになっている。
【００２３】
従ってこの図示例においては、ずれ防止手段Ｚは、爪部８１ｂを備えたスライダ８１と、案内穴８２とを具備し、傾斜ボルトの締め付けによるスライダの移動に基づいてずれ止め要素Ｙを構成する前記爪部８１ｂを突出させ、この爪部８１ｂの当て面８１ｂ１を縦枠材３Ｂに設けた位置決め孔７２の上端部７２ａに当てて縦枠材３Ａ、３Ｂの相対的なずれを防止するように構成されている。
【００２４】
具体的には、スライダ８１を直方体の一部を切り欠いた角部を有する形状に形成するとともに案内穴８２の断面をこのスライダ８１の形状に対応させて、傾斜ボルト１０のねじ孔８１ａに対する締め付けに伴う回転を禁止するともに、スライダ８１の案内穴８２に接触する部分を磨くなどして摩擦力を低減させ、案内穴８２内に接合面３２０側へ移動するように形成している。
【００２５】
また、この案内穴８２は、孔部８２０と、別体のストッパ８５と、スライダ８１の接合面３２０側への移動を規制する規制壁８２１とを具備し、爪部８１ｂを最も突出させる突出位置Ｌと、爪部８１ｂをケーシング８０内へ退避させる退避位置Ｍとの間でスライダ８１を進退可能に案内させるように構成したものである。孔部８２０は傾斜ボルト１０の軸方向に略一致した角度に傾斜させたものである。ストッパ８５は、その先端部８５０をケーシング８０の接合面３２０側に設けた第１のストッパ取付部８６ａに係り合わせるとともに、内側端板３３側に位置する係り合わせ突部８５１をケーシング８０を開口させて設けた第２のストッパ取付部８６ｂに係り合わせて取り付けて、孔部８２０の下端部を開口させたスライダ８１の挿入口８２２（図１１参照）において該スライダ８１の落下を防止するものである。規制壁８２１は、ボルト挿通孔８３との間に爪部８１ｂを最も突出させた位置でスライダ８１の接合面３２０側への移動を禁止するように設けたものである（図８参照）。
【００２６】
さらに、本実施の形態では、前記爪部８１ｂの当て面８１ｂ１を縦枠材３Ｂの位置決め孔７２の上端部７２ａと、縦枠材３Ａに設けた開口部７４の上端部７４ａとに同時に当てる当て機構Ｔを設けている。この当て機構Ｔは、前記移動禁止用段部８ａを爪部突出口８４の上端８４ａよりも低く設けるとともに、前記規制壁８２１を当て面８１ｂ１が爪部突出口８４の上端部分にほぼ当たるような位置に設けて、突出位置Ｌにおいて当て面８１ｂ１を移動禁止用段部８ａより若干高くなるようにして、縦枠材３Ａに設けた開口部７４の上端部７４ａに対して移動禁止用段部８ａに優先して当たるようにしたものである。
【００２７】
突っ張り部材９は、回動軸９０を備え、この回動軸９０をケーシング８０の裏当面側下端部に設けた軸受部８ｂに回動可能に支持させた合成樹脂製のものである。さらにストッパ８５の先端に設けた落下防止部８５ａによって下方に落下しないようにしている。そして、前記回動軸９０によって、図７に示すようにナット機能付き裏当メンバ８の縦枠部材３Ａへの挿入動作を阻害しない退避姿勢Ｐと、ナット機能付き裏当メンバ８を使用位置に移動させた段階で開口部７４の残余部分にはまり込む突っ張り姿勢Ｑとの間を回動するようにしている。また、回動端側には、一体に形成した弾性爪９１を設けている。
【００２８】
傾斜ボルト１０は、縦枠材３Ｂに設けた座受要素たる座受部１２によって頭部１００を支持させて接合面３２０に対して軸心方向を略４５度傾斜した方向に配したものである。座受部１２は、図９から図１２に示す第２の結合具Ｖのケーシング１１０に一体に設けたものである。具体的には、座受部１２は、ケーシング１１０の上半部側に、傾斜ボルト１０の軸心方向に直交するように傾斜させて設けた座受面１２ａと、この傾斜ボルト１０の軸心方向に沿って設けたボルト挿入孔１２ｂとから構成している。また、第２の結合具Ｖは、ケーシング１１０を主体に構成されたものである。このケーシング１１０は、アルミダイキャスト製のもので、縦枠材３Ｂ内に挿入可能な正面視Ｌ字形のブロック状をなし、このケーシング１１０の裏当面に第２の接合具位置決め孔７０に係り合わせる係り合い突部１３と、前記突条６に対応する切り欠き部１４とを設けて縦枠材３Ｂの上端部分に取り付けられるようにしている（図１２参照）。また、このボルト挿入孔１２ｂを外側へ開放したボルト突出口１１５を設けて、傾斜ボルト１０を外側へ突出できるようにしている。
【００２９】
次に、上述の部材結合装置Ｃによって、縦枠材３Ａと縦枠材３Ｂとを結合し、第１のパネル１Ａと第２のパネル１Ｂとを連結する場合について説明する。
【００３０】
まず、第１のパネル１Ａの縦枠材３Ａ側の空間Ｓ内には、上側の開口要素７ｂに対応させて第1の接合具Ｎを取り付けるようにする。まず、図７に示すようにナット機能付き裏当メンバ８のスライダ８１を退避位置Ｍにするとともに突っ張りメンバ９を退避姿勢Ｐにして、開口部７４に対して直交する方向に通過させて挿入し、該ナット機能付き裏当メンバ８を上方へ移動させつつ突っ張りメンバ９を突っ張り姿勢Ｑ側へ回転させながら上方へ向かって挿入していく。そして、第1の接合具Ｎを縦枠材３Ａの空間Ｓの内面に沿って上方の使用位置まで移動させ、使用位置まで移動させた段階で突っ張りメンバ９を、ナット機能付き裏当メンバ８と開口部７４の下端部７４ｂとの間に割り込ませ、移動禁止用段部８ａを開口部７４の上端部７４ａに当てるとともに、突っ張り部材９に設けた弾性爪９１を開口部７４の下端部７４ｂに当てて一時的に弾性変形させつつ突っ張り姿勢Ｑにまで到達させて固定する。一方、第２のパネル１Ｂの縦枠材３Ｂ上端部近傍の空間Ｓ内に、第２の結合具Ｖを挿入し、切り欠き部１４に前記突条６をはめ合わせるとともに、係り合い突部１３を第２の結合具位置決め孔７０に係り合わせることによって位置決めし、ねじ止めなど適宜の手段で固定して取り付ける。なお上述した第１の結合具Ｎおよび第２の結合具Ｖの装着時に、上下方向に渡って設けた突条６を、これら第１の結合具Ｎおよび第２の結合具Ｖをそれぞれ縦枠材３Ａ、３Ｂの空間Ｓ内において上下移動させるための案内部として機能させることができる。
【００３１】
そして、第２の結合具Ｖの座受部１２のボルト挿入孔１２ｂに傾斜ボルト１０を挿入し、第２の結合具Ｖに設けたボルト突出口１１５，縦枠材３Ｂのボルト連通孔７１、縦枠材３Ａのボルト連通孔７３、第１の結合具Ｎ側のボルト挿通孔８３を順次通し、スライダ８１に設けたねじ孔８１ａまで到達させて締め付けていく。この締め付けに伴い、スライダ８１が案内穴８２内を接合面３２０側に引き寄せられるとともに、爪部８１ｂがナット機能付き裏当メンバ８に設けた爪部突出口８４および縦枠材３Ａに設けた開口部７４を通過して接合面３２０から突出する。さらなる締め付けに伴って、この爪部８１ｂの当て面８１ｂ１が、縦枠材３Ｂに設けた位置決め孔７２の上端部７２ａと縦枠材３Ａに設けた開口部７４の上端部７４ａとに同時に当たり、これらの縦枠材３Ａ、３Ｂはこの爪部８１ｂの当て面８１ｂ１によって直接的に位置決めされる。一方、縦枠材３Ａ、３Ｂの下端部側においては、爪を利用した図示しない係り合わせ機構を用いて結合する。しかして、縦枠材３Ａと縦枠材３Ｂとが結合される。この際、本実施の形態においては、傾斜ボルト１０を上方から接合面に対して斜めに挿入するようにしたので、パネル要素２を構造枠３に装着した状態でのまま、第１のパネル１Ａと、第２のパネル１Ｂとを連結することができる。
【００３２】
以上詳述したように、本実施の形態における縦枠材３Ａ、３Ｂは、板金素材に曲げ加工を施して作られ、両面板のフック孔５同士の対面を遮断する突条６を板金素材の曲げ加工により一体に形成したので、縦枠材３Ａ、３Ｂの曲げ加工の際に同時に加工した突条６によってフック孔５間の光の通過を禁止して光の漏れを防止できる。
【００３３】
さらに、この突条６を外側端板３２における一方の面板３０もしくは３１寄りに偏移した部位に設けたので、外側端板３２中央付近に連続した面一な領域を広くとることができ該外側端板３２の面を有効に利用できる。また、縦枠材３Ａ、３Ｂの空間Ｓを広く取ることができ、本実施の形態における部材結合装置Ｃを構成する第１の結合具Ｎおよび第２の結合具Ｖを、挿入することができる。さらに空間Ｓを、例えば配線を設けるなどその他の目的に使用する場合にも極めて有効なものとなる。
【００３４】
また、突条６を、基端を外側端板３２に連続させて相互に密着する２枚の突出片部６０と、これら両突出片部の先端間を一体に連続させる屈曲部６１とからなるものに構成したので強度が得られ、例えば縦枠材３Ａ、３Ｂの空洞Ｓ内に配線などを配置するような場合に、配線が引っ張られてこの突条６に力が働いたような場合などに有効なものとなる。
【００３５】
また、縦枠材３Ａ、３Ｂを、両面板３０、３１の外面にフック孔５をさけるようにしてパネル要素２が装着されるパネル１Ａ、１Ｂの構造材であって、外側端板３２の中央領域にパネル同士を連結するための第２の結合具位置決め孔７０、ボルト連通孔７１、位置決め孔７２、ボルト連通孔７３、開口部７４などの開口要素７を備えたものに構成したので、面板３０又は３１寄りに設けた突条６によって、これらの開口要素７を干渉することなく、第１のパネル１Ａおよび第２の１Ｂを連結させた後に表出するフック孔５に対する有効な遮光効果を得ることができる。
【００３６】
本発明は以上のような実施の形態に限られない。
【００３７】
例えば、縦枠材３Ａ、３Ｂを種々の長さに設定してもよいことはもちろんである。本発明のような遮光用の突条６を設けた縦枠材を種々の長さに設けることでオフィスのレイアウト変更にも適応できる。
【００３８】
また、突条６を、本実施の形態では、２重壁構造をなす２枚の突出片部６０と、これら両突出片部の先端間を一体に連続させる屈曲部６１とから構成したが、図１２に示すように曲げ加工の接合部分を外側端板３２側に設けて、その一方を内側に曲げて突出辺部６０ａからなる突状６ａのようなものでもよい。さらに接合部分を両方とも内側に曲げて接合したものであってもよい。また、図１３に示すように所定距離を離間して設けた２枚の突出辺部６０ｂと、その先端間を一体に連続させる屈曲部６１ｂとから構成した突条６ｂのようなものでもよい。
【００３９】
また、本実施の形態では、構造材として縦枠材３Ａ、３Ｂを採用したが、デスクトップパネルの側端部に取り付けるチャネル状のポスト金具のようなものであってもよい。
【００４０】
その他、各部の具体的構成についても上記実施形態に限られるものではなく、本発明の趣旨を逸脱しない範囲で種々変形が可能である。
【００４１】
【発明の効果】
本発明は、以上説明したような形態で実施され、以下に記載されるような効果を奏する。
【００４２】
すなわち、構造材の曲げ加工の際に同時に形成される突条によってフック孔間の光の通過を禁止して光の漏れを防止できる。さらに、端板における一方の面板寄りに偏移した部位にこの突条を形成したので、端板の連続した面一な領域が広くなり、この領域に例えば他の構造体と結合するための部材を挿入するための開口部を設けるなど有効利用できる。また、構造材に囲まれた空間を有効に利用することができる。
【図面の簡単な説明】
【図１】本発明の一実施形態の使用例を示す全体図。
【図２】本実施形態を示す一部破断した斜視図。
【図３】同一部破断した側面図。
【図４】同横断面図。
【図５】本実施形態における第１の結合具を示す斜視図。
【図６】同使用位置を示す要部側面図。
【図７】同第１の結合具の取り付け状態を示す一部破断した正面図。
【図８】図６におけるＸ−Ｘ断面図。
【図９】本実施形態における第２の結合具を示す斜視図。
【図１０】同取り付け状態を示す要部側面図。
【図１１】本実施形態における部材結合装置を示す断面図。
【図１２】同部材結合装置の取付状態を示す断面図。
【図１３】本発明の別の実施形態を示す横断面図。
【図１４】本発明の別の実施形態を示す横断面図。
【符号の説明】
１Ａ・・・第１のパネル
１Ｂ・・・第２のパネル
３Ａ・・・構造材（縦枠材）
３Ｂ・・・構造材（縦枠材）
２・・・パネル要素
５・・・フック孔
６、６ａ、６ｂ・・・突条
６０、６０ａ、６０ｂ・・・突出辺部
６１、６１ｂ・・・屈曲部
７・・・開口要素
３０、３１・・・面板
３２・・・端板（外側端板）
【図１】
0004721594.tif 000002
【図２】
0004721594.tif 000003
【図３】
0004721594.tif 000004
【図４】
0004721594.tif 000005
【図５】
0004721594.tif 000006
【図６】
0004721594.tif 000007
【図７】
0004721594.tif 000008
【図８】
0004721594.tif 000009
【図９】
0004721594.tif 000010
【図１０】
0004721594.tif 000011
【図１１】
0004721594.tif 000012
【図１２】
0004721594.tif 000013
【図１３】
0004721594.tif 000014
【図１４】
0004721594.tif 000015